【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】
テキスト情報を表示する表示手段を備え、当該テキスト情報に応じた音声情報を出力可能な音声出力装置に接続可能な情報提供装置であって、
前記音声出力装置が接続されているか否かを判断する判断手段と、
前記判断手段による判断の結果、前記音声出力装置が接続されている場合には、前記テキスト情報に応じた音声情報を前記音声出力装置に出力し、前記音声出力装置が接続されていない場合には、前記テキスト情報を前記表示手段に出力する、出力先切り替え制御を行う切り替え制御手段と
を備えることを特徴とする情報提供装置。
【請求項２】
外部の装置とネットワークを介して情報の送受信を行う送受信手段を更に備え、
前記テキスト情報は当該送受信手段が外部の装置からネットワークを介して受信した情報であって、当該情報は、メール情報、Ｗｅｂ情報を含むことを特徴とする請求項１に記載の情報提供装置。
【請求項３】
前記テキスト情報に基づいて音声合成処理を行い、合成音声を前記音声情報として生成する音声合成手段を更に備えることを特徴とする請求項１又は２に記載の情報提供装置
【請求項４】
前記音声合成手段による合成音声を前記音声出力装置に出力する場合、もしくは前記テキスト情報を前記表示手段に出力する場合に、夫々の場合における出力の旨をユーザに通知する通知手段を更に備えることを特徴とする請求項３に記載の情報提供装置。
【請求項５】
前記音声合成手段による合成音声と、当該合成音声とは異なる音とを重畳する重畳手段を更に備え、
前記音声出力装置に既に音が出力されている場合、当該重畳手段は、当該音に前記合成音声を重畳し、前記音声出力装置は当該合成音声が重畳された音を出力することを特徴とする請求項３に記載の情報提供装置。
【請求項６】
前記切り替え制御手段が、前記音声合成手段による合成音声を前記音声出力装置に出力する制御を行う場合、更に前記テキスト情報を前記表示手段に出力する制御を行うことを特徴とする請求項３に記載の情報提供装置。
【請求項７】
テキスト情報を表示する表示手段と、当該テキスト情報に基づいて音声合成処理を行い、合成音声を生成する音声合成手段と、当該合成音声を出力可能な音声出力手段とを備える情報提供装置であって、
外部の装置を特定する情報を受信する受信手段と、
現実空間に存在する前記外部の装置を特定する情報のリストを保持する保持手段と、
前記受信手段が受信した情報が前記リストに存在するか否かに応じて、前記音声合成手段による合成音声を前記音声出力装置に出力する、もしくは前記テキスト情報を前記表示手段に出力する、出力先切り替え制御を行う切り替え制御手段と
を備えることを特徴とする情報提供装置。
【請求項８】
前記音声出力装置は、ユーザが装着している音声出力装置であることを特徴とする請求項１乃至７のいずれかに記載の情報提供装置。
【請求項９】
前記音声出力装置は、ヘッドフォン又はヘッドセットであることを特徴とする請求項１乃至７のいずれかに記載の情報提供装置。
【請求項１０】
テキスト情報を表示する表示手段を備え、当該テキスト情報に応じた音声情報を出力可能な音声出力装置に接続可能な情報提供装置が行う情報提供方法であって、
前記音声出力装置が接続されているか否かを判断する判断工程と、
前記判断工程での判断の結果、前記音声出力装置が接続されている場合には、前記テキスト情報に応じた音声情報を前記音声出力装置に出力し、前記音声出力装置が接続されていない場合には、前記テキスト情報を前記表示手段に出力する、出力先切り替え制御を行う切り替え制御工程と
を備えることを特徴とする情報提供方法。
【請求項１１】
情報を表示する表示手段と、当該テキスト情報に基づいて音声合成処理を行い、合成音声を生成する音声合成手段と、当該合成音声を出力可能な音声出力手段とを備える情報提供装置が行う情報提供方法であって、
外部の装置を特定する情報を受信する受信工程と、
前記受信工程で受信した情報が、現実空間に存在する前記外部の装置を特定する情報のリストに存在するか否かに応じて、前記音声合成手段による合成音声を前記音声出力装置に出力する、もしくは前記テキスト情報を前記表示手段に出力する、出力先切り替え制御を行う切り替え制御工程と
を備えることを特徴とする情報提供方法。
【請求項１２】
請求項１０又は１１に記載の情報提供方法をコンピュータに実行させるための制御プログラム。
【手続補正２】
【補正対象書類名】明細書
【補正対象項目名】０００９
【補正方法】変更
【補正の内容】
【０００９】
すなわち、テキスト情報を表示する表示手段を備え、当該テキスト情報に応じた音声情報を出力可能な音声出力装置に接続可能な情報提供装置であって、前記音声出力装置が接続されているか否かを判断する判断手段と、前記判断手段による判断の結果、前記音声出力装置が接続されている場合には、前記テキスト情報に応じた音声情報を前記音声出力装置に出力し、前記音声出力装置が接続されていない場合には、前記テキスト情報を前記表示手段に出力する、出力先切り替え制御を行う切り替え制御手段とを備えることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】変更
【補正の内容】
【００１３】
すなわち、テキスト情報を表示する表示手段と、当該テキスト情報に基づいて音声合成処理を行い、合成音声を生成する音声合成手段と、当該合成音声を出力可能な音声出力手段とを備える情報提供装置であって、外部の装置を特定する情報を受信する受信手段と、現実空間に存在する前記外部の装置を特定する情報のリストを保持する保持手段と、前記受信手段が受信した情報が前記リストに存在するか否かに応じて、前記音声合成手段による合成音声を前記音声出力装置に出力する、もしくは前記テキスト情報を前記表示手段に出力する、出力先切り替え制御を行う切り替え制御手段とを備えることを特徴とする。
【手続補正６】
【補正対象書類名】明細書
【補正対象項目名】００１５
【補正方法】変更
【補正の内容】
【００１５】
すなわち、テキスト情報を表示する表示手段を備え、当該テキスト情報に応じた音声情報を出力可能な音声出力装置に接続可能な情報提供装置が行う情報提供方法であって、前記音声出力装置が接続されているか否かを判断する判断工程と、前記判断工程での判断の結果、前記音声出力装置が接続されている場合には、前記テキスト情報に応じた音声情報を前記音声出力装置に出力し、前記音声出力装置が接続されていない場合には、前記テキスト情報を前記表示手段に出力する、出力先切り替え制御を行う切り替え制御工程とを備えることを特徴とする。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１９
【補正方法】変更
【補正の内容】
【００１９】
すなわち、情報を表示する表示手段と、当該テキスト情報に基づいて音声合成処理を行い、合成音声を生成する音声合成手段と、当該合成音声を出力可能な音声出力手段とを備える情報提供装置が行う情報提供方法であって、外部の装置を特定する情報を受信する受信工程と、前記受信工程で受信した情報が、現実空間に存在する前記外部の装置を特定する情報のリストに存在するか否かに応じて、前記音声合成手段による合成音声を前記音声出力装置に出力する、もしくは前記テキスト情報を前記表示手段に出力する、出力先切り替え制御を行う切り替え制御工程とを備えることを特徴とする。